(57)【要約】      （修正有）【課題】農業用ハウスにおいて雨水を溜めて利用することにより農業用水を節約するとともに、タンクなどを置くスペースを必要としない雨水貯水装置を提供する。【解決手段】農業用ハウス等の建物１の屋根に、樹脂製のパイプ２又は容器を利用し、雨水が入り中に溜まる形状のタンクを設置する。柱７にも樹脂製パイプを使い屋根のタンクと連結することで貯水量を増やす。柱７の下部は地中に埋め込まれ、バルブ９を開くと雨水は下に落ちハウス内の土に浸透する。【選択図】図１
0003163158.tif 000002
【実用新案登録請求の範囲】
【請求項１】
ビニールハウスをはじめとする建物の屋根に設置する、パイプあるいは容器を用い上向きに開口部を設け雨水が入り溜めることができる形状を持った貯水装置。
【請求項２】
パイプを使い建物の柱となるとともに、請求項１の貯水装置と連結し内部に水を蓄えることができるようにした貯水装置。
【請求項３】
樹脂製のパイプあるいは容器を用いた請求項１及び請求項２に記載された貯水装置。
【考案の詳細な説明】
【技術分野】
【０００１】
本考案はビニールハウスなどの建物における雨水の貯水、利用に関するものである。
【背景技術】
【０００２】
ビニールハウスにおいては内部の温度が高くなり乾燥しやすくなること、降った雨水
はハウス内の地中には滲み込まないことなどから、露地栽培に比べ多くの水を必要とす
る。そのため水の節約のため雨水を利用する方法が考えられている。
特許文献１には雨水を直接ハウス内に導く方法が述べられている。
雨水を蓄える方法として特許文献２ではハウスの側面に雨樋をつけ雨水を集める方法
が、特許文献３ではハウスの雨尻に溝を掘り地下タンクに集める方法が述べられてい  
る。これらは新たに雨水を集める装置を取り付け、地上や地下に貯水タンクを設置する
スペースが必要となる。
【０００３】
ハウス内の温度を調節する方法として、暑い季節は天井や側面を開けて換気し、寒い
季節はストーブやヒーターで暖房するのが一般的であるが、土壌の温度を生育に適した
温度に制御する方法もある。
特許文献４では地中にパイプを敷設しヒートポンプで冷媒や水、温水を流すことで土
壌の温度を制御する方法が述べられているが、ヒートポンプを運転するのにエネルギー
を必要とする。
考案者は、特許文献５において堆肥の発酵熱で水を温めハウス内の地中に通したパイ
プにその温水を循環させることで土壌の温度を高める方法を考案した。
【先行技術文献】
【特許文献】
【０００４】
【特許文献１】実用新案公開  平５−３４８４７  ビニールハウス用雨水取入具
【特許文献２】特許公開  ２００４−３１３１４２  ビニールハウスの雨水集水装置
【特許文献３】特許公開  平１１−３２４０３０  雨水の多目的有効利用システム
【特許文献４】特許公開  ２０１０−１０４３５５  ビニールハウス等の農業用閉空間施設と省エネ管理方法
【特許文献５】登録実用新案  第３１５２４８０号  暖房装置
【考案の概要】
【考案が解決しようとする課題】
【０００５】
農業用ハウスでは露地栽培に比べ大量の水が必要となる。そこで雨水を溜めて利用す
ることにより農業用水等の使用量を減らすにあたり、タンクなどの設備を置くスペース
を必要としない貯水装置を提供する。
【０００６】
作物への水遣りの作業を簡単に行えるようにする。
【０００７】
作物の生育に適した土の温度を保ち、寒い地域において土の凍結を防止し年間を通じ
て作物の育成を可能にする。
【課題を解決するための手段】
【０００８】
農業用ハウス等の建物の屋根に、樹脂製のパイプあるいは容器等を用いて雨水が中に
入る形状のタンクを設置する。
【０００９】
より多くの水を蓄えるため、柱にも樹脂製パイプを用いタンクとして使う。
柱は下部を地中に埋め込み、上部は屋根のタンクと連結し雨水が流れ込むようにする。
柱に付けられたバルブを開くと水は下に落ち、土に浸透する。
土の水分量をセンサーで検知しバルブの開閉を制御することで、水遣りの自動化も可
能である。
【００１０】
雨水が無いときは農業用水、地下水、井戸水を、また寒い時には温水を流せるように
するため柱の底部にＴ継手を付け配管する。配管の一方は水、温水の供給源に繋ぎ、も
う一方はハウスの地中に通したパイプに繋ぐ。ハウス側のパイプには小さな穴を設け、
水が染み出るようにする。
【考案の効果】
【００１１】
雨水を利用することで農業用水の節約が可能になる。
【００１２】
ハウスの骨格がそのまま貯水装置となるため、タンクなどを設置するスペースは必要
ない。
【００１３】
作物への水遣りを簡単に行うことができる。
【００１４】
１年を通して温度変化が少ない地下水、井戸水を流すことにより、暑い季節は土の温
度を下げ寒い季節は土の温度を高め作物の生育に合った土の温度にすることができる。
寒い季節には温水を流すことで土の凍結を防止する。
【００１５】
本考案の貯水装置は、ビニールハウス以外の建物でも実現することができる。
建物が密集している都市部では地上に貯水タンクを設置する場所が無いこともあるが、
本考案ではそのような問題は無い。
蓄えた雨水は、清掃、トイレ、水撒き等水道水ほどの品質が必要ない用途に使うこと
で水が節約できる。
さらに本考案は、降った雨が短時間に側溝や下水に流入し氾濫する都市型の水害を防
ぐ上でも有効である。
【図面の簡単な説明】
【００１６】
【図１】本考案の貯水タンクを設置した建物（農業用ハウス）を表す図
【図２】柱の構造を示す図
【図３】水または温水の供給源につないだ状態を示す図
【考案を実施するための形態】
【００１７】
図１は本考案の貯水装置を持った建物の図である。
農業用ハウス等の建物１の屋根の部材に、樹脂製のパイプあるいは容器を利用し雨水が
中に入る形状のタンクを使用する。パイプ２を使う場合は上面に穴３を開ける、エルボ
４、Ｔ継手５などで上向きに開口部を設けるなどして雨水が入る形状にする。容器の場
合も上面に開口部を設ける。開口部にはゴミ、落ち葉などが浸入しないよう網もしくは
フィルター６をつける。
タンクの大きさ、形状、個数等は、設置する建物に合わせる。
【００１８】
図２は柱の構造を示す。
貯水量を増やすため建物の柱７にも樹脂製パイプを用い貯水装置として使う。
柱はその下部を地中に埋め込むことで建物の強度と耐風性を持たせる。上部は屋根の貯
水タンク２と連結する。雨水１０はバルブ９から屋根のタンク２まで溜まる。
バルブ９を開くと水は下に落ち、ハウス内の土１１に浸透する。開閉しやすい高さにバ
ルブ９を取り付けることで、水遣りが簡単にできる。
また、土１１の水分量をセンサーで検出しバルブ９が開閉するよう制御することによ
り、作物への水遣りを自動で行うことも可能である。
【００１９】
図３は、本装置に水あるいは温水の供給源１３を繋いだ状態を示す。
柱の下にＴ継手１２を介して一方は水・温水の供給源１３に、一方はハウス内の地中に
配管する。ハウスの地中を通るパイプには小さな穴を開け、水が滲み出すようにする。
通常は農業用水、地下水、井戸水などを引き、雨水が無い時に切り換えるようにする。
地下水、井戸水は年間を通してほぼ一定の温度であり暑い時期には土の温度を下げ寒い
時期には上げることで作物の成長に適した温度を実現する。さらに寒い場合には温水を
流す。燃料や電気などのエネルギーを使わず温水を得るには特許文献５の方法がある。
この温水を上記配管に流すことにより、土の凍結を防止し作物を成長させることがで
きる。
【符号の説明】
【００２０】
１…農業用ハウス
２…樹脂製パイプ
３…パイプに開けた穴
４…エルボ
５…Ｔ継手
６…網あるいはフィルター
７…柱（樹脂製パイプを使った貯水装置）
８…樹脂製パイプ（屋根の貯水装置と柱の連結）
９…バルブ
１０…雨水
１１…土（ハウス内の土壌）
１２…Ｔ継手
１３…水、温水の供給源
【図１】
0003163158.tif 000003
【図２】
0003163158.tif 000004
【図３】
0003163158.tif 000005